(57)【要約】      （修正有）【課題】明るい場所で使用した場合であっても、導光板に設けられた表示情報を明瞭に表示することができる表示装置を提供する。【解決手段】表示装置には、第一導光板３６ａの表面側に光透過部材６３が設けられているため、表示装置の内部に入り込む外部からの光の光量を低減することができる。裏面部材６４の表面は粗面であるため、裏面部材６４で反射される光の光量を低減し、裏面部材６４で反射される光により拡散部４０とその他の部分とのコントラストが不明確になったり、第一表示情報又は第二表示情報を表示している際に、裏面部材６４の表面で反射した光によって第二表示情報又は第一表示情報が表示されたりする可能性を未然に低減することができる。更に、裏面部材６４の表面は暗色であるため、光源部３０を点灯した際、拡散部４０とその他の部分とのコントラストをより明確にする。【選択図】図２
2016050997.tif 000002
【特許請求の範囲】
【請求項１】
側面側に設けられた第一光源部から照射された光を第一拡散部が拡散することで第一表示情報を表示する第一導光板と、
前記第一導光板の裏面側に位置し、側面側に設けられた第二光源部から照射された光を第二拡散部が拡散することで第二表示情報を表示する第二導光板と、
前記第一光源部を前記第一導光板の側面側に、前記第二光源部を前記第二導光板の側面側に、それぞれ固定する固定部材と、
前記第一導光板の表面側に位置し、コントラストを調整する光透過部材と、
前記第二導光板の裏面側に位置し、表面の光の反射率が低い裏面部材と、
を備えたことを特徴とする、
表示装置。
【請求項２】
前記第一拡散部は、所定の形状に配置された複数の拡散ドットからなり、
前記第二拡散部は、前記第一拡散部とは異なる形状に配置された複数の拡散ドットからなることを特徴とする、
請求項１に記載の表示装置。
【請求項３】
前記固定部材は、前記第一導光板を固定する第一溝部と、前記第二導光板を固定する第二溝部と、互いに隣接する前記第一溝部と前記第二溝部との間に位置し、前記第一溝部及び前記第二溝部の外側壁よりも高い内側壁と、を有し、
前記第一光源部及び前記第二光源部は、前記第一溝部の底面及び前記第二溝部の底面にそれぞれ固定され、
前記第一導光板及び前記第二導光板は、前記第一溝部及び前記第二溝部の側面に挟持されることを特徴とする、
請求項１又は２に記載の表示装置。
【請求項４】
請求項３に記載の表示装置であって、
前記第一導光板及び前記第二導光板と前記内側壁との間に位置する緩衝部材と、
を備えたことを特徴とする、
表示装置。
【請求項５】
前記内側壁は、両面側に前記外側壁方向に突出する凸部をそれぞれ有し、
前記緩衝部材は、前記第一溝部の底面及び前記第二溝部の底面と前記凸部を挟んで反対側に位置することを特徴とする、
請求項４に記載の表示装置。
【請求項６】
前記第一導光板及び前記第二導光板の厚さは、前記凸部の頂面から前記外側壁の内側面までの距離と略同一であり、
前記第一光源部及び前記第二光源部は、前記第一溝部の底面及び前記第二溝部の底面にそれぞれ設けられていることを特徴とする、
請求項５に記載の表示装置。
【請求項７】
請求項１から６に記載の表示装置であって、
前記第一導光板、前記第二導光板及び前記固定部材の裏面側及び側面側を覆い、下方側面側に貫通孔を有する背面カバー部材と、
を備えていることを特徴とする、
表示装置。
【発明の詳細な説明】
【技術分野】
【０００１】
本発明は、表示装置に関する。
【背景技術】
【０００２】
従来、それぞれ異なる像を表示することができる２枚の導光板を用いた表示装置が知られている。例えば、特許文献１には、反射面をそれぞれ有する２枚の導光板の一方主面を本体の第一当接面及び第二当接面にそれぞれ当接して位置決めする照明装置が記載されている。この照明装置では、２枚の導光板の間に間隔を空けて位置決めすることにより、それぞれの導光板に表示される像をより明確に表示することができる。
【先行技術文献】
【特許文献】
【０００３】
【特許文献１】特開２００８−１４５６５７号公報
【発明の概要】
【発明が解決しようとする課題】
【０００４】
しかしながら、このような表示装置では、野外等の強い太陽光が照射する明るい環境下で使用した場合には、裏面側の導光板の像を表示させていない場合であっても、太陽光により裏面側の導光板の像が見えてしまう可能性があるという課題がある。
【０００５】
本発明は、このような課題に鑑みなされたものであり、明るい環境下で使用した場合であっても、導光板によって表示される表示情報をより明確に表示することができる照明装置を提供することを主目的とする。
【課題を解決するための手段】
【０００６】
本発明は、上述の主目的を達成するために以下の手段を採った。
【０００７】
本発明の表示装置は、
側面側に設けられた第一光源部から照射された光を第一拡散部が拡散することで第一表示情報を表示する第一導光板と、
前記第一導光板の裏面側に位置し、側面側に設けられた第二光源部から照射された光を第二拡散部が拡散することで第二表示情報を表示する第二導光板と、
前記第一光源部を前記第一導光板の側面側に、前記第二光源部を前記第二導光板の側面側に、それぞれ固定する固定部材と、
前記第一導光板の表面側に位置し、コントラストを調整する光透過部材と、
前記第二導光板の裏面側に位置し、表面の光の反射率が低い裏面部材と、
を備えたことを特徴とする、
ものである。
【０００８】
この表示装置は、第一導光板の表面側にコントラストを調整する光透過部材を備えている。こうすることにより、太陽光等の表示装置の外部からの光が表示装置の内部に入り込む光の強さを低減することができるため、第一光源部又は第二光源部から第一拡散部又は第二拡散部に光を照射した際、第一拡散部又は第二拡散部とその他の部分とのコントラストを明確にし、第一表示情報又は第二表示情報を明確に表示することができる。同時に、第一拡散部に第一光源部から光を照射した際に、外部からの光によって第二表示情報が表示されたり、第二拡散部に第一光源部から光を照射した際に、外部からの光によって第一表示情報が表示されたりする可能性を未然に低減することができる。加えて、裏面部材は表面の光の反射率が低いため、裏面部材で反射された光によって第一表示情報又は第二表示情報が表示される可能性を未然に低減することができる。言い換えると、例えば、第一光源部を点灯した際に、裏面部材で反射した光が第二拡散部によって拡散され、第二表示情報が表示される可能性を未然に低減することができる。なお、表面の光の反射率が低いとは、表面を暗色にすることで光の反射率を低くしても良いし、表面を粗面や凹凸を有する面とすることで光を乱反射させて光の反射率を低くしても良いし、反射防止コーティング等の塗材を塗布することで光の反射率を低くしてもよい。また、ここで光の反射率が低いとは、光の反射率が４０％未満であることを意味する。また、ここで暗色とは、明度が低い色を意味し、例えば、黒色、灰色、濃緑色、濃青色等の色を意味する。
【０００９】
本発明の表示装置において、前記第一拡散部は、所定の形状に配置された複数の拡散ドットからなり、前記第二拡散部は、前記第一拡散部とは異なる形状に配置された複数の拡散ドットからなることを特徴としてもよい。こうすることにより、複数の拡散ドットが配置された形状により、第一表示情報と第二表示情報をそれぞれ表示することができる。
【００１０】
本発明の表示装置において、前記固定部材は、前記第一導光板を固定する第一溝部と、前記第二導光板を固定する第二溝部と、互いに隣接する前記第一溝部と前記第二溝部との間に位置し、前記第一溝部及び前記第二溝部の外側壁よりも高い内側壁と、を有し、前記第一光源部及び前記第二光源部は、前記第一溝部の底面及び前記第二溝部の底面にそれぞれ固定され、前記第一導光板及び前記第二導光板は、前記第一溝部及び前記第二溝部の側面に挟持されることを特徴としてもよい。こうすることにより、第一導光板の側面側に第一光源が位置する状態で第一溝部により第一導光板及び第一光源が固定され、第二導光板の側面側に第二光源が位置する状態で第二溝部により第二導光板及び第二導光板が固定される。このため、第一光源及び第二光源は、第一導光板及び第二導光板の側面側に確実に光を照射することができる。このとき、第一溝部と第二溝部との間に設けられた内側壁は、第一溝部及び第二溝部の外側に位置する外側壁よりも高く形成されているため、第一導光板の側面に第二光源から光が照射されたり、第二導光板の側面に第一光源からの光が照射されたりする可能性を未然に低減することができる。このように、第一導光板の側面に第一光源からの光を、第二導光板の側面に第二光源からの光を、それぞれ確実に照射することができ、第一表示情報又は第二表示情報を確実に表示することができる。加えて、第一溝部と第二溝部との間に設けられた内側壁は、第一溝部及び第二溝部の外側に位置する外側壁よりも高く形成されているため、第一導光板又は第二導光板が熱等により膨張した場合であっても、第一導光板及び第二導光板が互いに近づく方向に湾曲する可能性を未然に低減することができる。こうすることにより、第一導光板と第二導光板との間に間隔を維持することができ、第一導光板と第二導光板との間の間隔が狭くなり、第二導光板に設けられた第二表示情報が視認し難くなる可能性を未然に低減することができる。
【００１１】
この態様を採用した本発明の表示装置は、前記第一導光板及び前記第二導光板と前記内側壁との間に位置する緩衝部材と、を備えたことを特徴としてもよい。こうすることにより、第一導光板又は第二導光板が熱等により膨張した場合であっても、第一導光板又は第二導光板と内側壁とが互いに衝突して破損する可能性を未然に低減することができる。また、第一導光板又は第二導光板を固定部材に固定する際、第一導光板又は第二導光板と固定部材とが衝突して破損する可能性を未然に低減することができる。
【００１２】
この態様を採用した本発明の表示装置において、前記内側壁は、両面側に前記外側壁方向に突出する凸部をそれぞれ有し、前記緩衝部材は、前記凸部よりも前記第一溝部の底面及び前記第二溝部の底面から遠い側に位置することを特徴としてもよい。こうすることにより、緩衝部材が凸部によって第一溝部の底面及び第二溝部の底面方向に移動することが未然に防止することができる。言い換えると、第一溝部又は第二溝部の底面と緩衝部材との間に空間を設けることができるため、使用により光源部が発熱した場合であっても、この空間内を空気が対流し、光源部が破損する可能性を未然に低減することができる。
【００１３】
この態様を採用した本発明の表示装置において、前記第一導光板及び前記第二導光板の厚さは、前記凸部の頂面から前記外側壁の内側面までの距離と略同一であり、前記第一光源部及び前記第二光源部は、前記第一溝部の底面及び前記第二溝部の底面にそれぞれ設けられていることを特徴としてもよい。こうすることにより、第一溝部及び第二溝部に第一導光板及び第二導光板を挿入することにより、凸部の頂面と第一溝部及び第二溝部の側面によって第一導光板及び第二導光板の両側主面を固定することができるため、第一導光板及び第二導光板と光源部との相対的な位置関係が変わる可能性を未然に低減することができる。
【００１４】
本発明の表示装置は、前記第一導光板、前記第二導光板及び前記固定部材の裏面側及び側面側を覆い、下方側面側に貫通孔を有する背面カバー部材と、を備えていることを特徴としてもよい。こうすることにより、第一光源部又は第二光源部からの発熱等により内部が高温になったり、冬場に屋外に配置することにより外気が低温になったりした場合であっても、この貫通孔を介した温度や湿度の調節が可能であり、内部で結露する可能性を未然に低減することができる。また、降雨等により内部に水が浸入した場合であっても、この貫通孔から外部に排出することができるため、内部に水が溜まる可能性を未然に低減することができる。言い換えると、結露による水滴等が本体部の内部の電子機器等に悪影響を与えたり、故障させたりする可能性を未然に低減することができる。
【図面の簡単な説明】
【００１５】
【図１】図１は、表示装置２０の構成の概略を示す斜視図である。
【図２】図２は、表示装置２０の構成の概略を示す分解斜視図である。
【図３】図３は、表示装置２０の構成の概略を示すＢ部拡大斜視図である。
【図４】図４は、表示装置２０の構成の概略を示すＡ−Ａ断面図である。
【図５】図５は、表示装置２０の構成の概略を示すＣ部拡大断面図である。
【図６】図６は、拡散ドット４２の形状のバリエーションを説明するための斜視図である。
【発明を実施するための形態】
【００１６】
次に、本発明の実施の形態の一例として、表示装置２０について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号を付す。また、表示装置２０の使用方法の一例を示すことで、本発明の表示装置の使用方法の一例も明らかにする。
【００１７】
本発明の実施の形態の一例である表示装置２０は、図１に示すように、本体部６０の中央部に設けられた窓部６２ａを介して表示情報を表示する表示装置である。この表示装置２０は、図２に示すように、
第一光源部３０ａから照射された光を主面側に拡散する第一導光板３６ａと、第二光源部３０ｂから照射された光を主面側に拡散する第二導光板３６ｂと、第一導光板３６ａ及び第二導光板３６ｂを固定する固定部材５０と、第一導光板３６ａ、第二導光板３６ｂ及び固定部材５０を収容する本体部６０と、を主に備えている。
【００１８】
第一光源部３０ａは、図３に示すように、基板３２ａと、この基板３２ａに所定の間隔で実装された複数の白色の表面実装型の平面発光型ＬＥＤ３４ａ（以下、「ＬＥＤ３４ａ」と言う。）と、からなり、後述する固定部材５０の第一溝部５２ａの底面５８ａに図示しない両面テープ等で貼着されている。このため、ＬＥＤ３４ａが使用により発熱した場合であっても、基板３２ａを介して固定部材５０に熱が伝わり、ＬＥＤ３４ａが高温により誤作動したり破損したりする可能性を未然に低減することができる。また、基板３２ａ及びＬＥＤ３４ａの表面にシリコンやエポキシ樹脂等をポッティングしてもよいし、基板３２ａ全体を完全に密封コーティングしても良いし、第一光源部３０ａ全体をシリコンチューブ等に封入しても良い。こうすることにより、仮に表示装置２０の内部で結露が生じたり、雨滴等が表示装置２０の内部に侵入した場合であっても、第一光源部３０ａが故障したり誤作動したりする可能性を未然に低減することができる。
【００１９】
第一導光板３６ａは、図２に示すように、厚さが約５ｍｍであり、略四角形形状の板状に形成された透過性を有するメタクリル樹脂製の板である。この第一導光板３６ａの裏面側には、「入口」という文字からなる第一拡散部４０ａが設けられている。この第一拡散部４０ａは、複数の拡散ドット４２ａによって形成されており、第一光源部３０ａから第一導光板３６ａの側面に照射された光を表面側に拡散する。こうすることにより、「入口」という表示情報を表示することができる。
【００２０】
拡散ドット４２ａは、図４に示すように、第一導光板３６ａの裏面側にレーザー加工によって形成されたドットである。この拡散ドット４２ａにＬＥＤ３４ａからの光が照射されると、光は主に表面側に拡散される。このとき、拡散ドット４２ａは、第一表示情報である「入口」という文字の形状に配置されるため、「入口」という第一表示情報を表示することができる。また、表示装置２０の正面からだけでなく、斜め横方向からであっても、第一表示情報が見やすい。この拡散ドット４２ａの大きさは、０．０５ｍｍ以上０．２ｍｍ未満が好ましく、約０．１ｍｍがより好ましい。拡散ドット４２ａの大きさが０．２ｍｍ以上の場合には、第二光源部３０ｂを点灯した際に、拡散ドット４２ａによって第二表示情報が見えにくくなる可能性があるため好ましくなく、０．０５ｍｍ未満の場合には、第一光源部３０ａを点灯した際拡散ドット４２ａで拡散される光が少なく第一表示情報が見えにくくなる可能性があるため好ましくない。また、各拡散ドット４２ａ同士のピッチは０．１ｍｍ以上１ｍｍ未満が好ましく、約０．３ｍｍがより好ましい。各拡散ドット４２ａ同士のピッチが０．１ｍｍ未満の場合には、第二光源部３０ｂを点灯した際に、拡散ドット４２ａによって第二表示情報が見えにくくなる可能性があるため好ましくなく、１ｍｍ以上の場合には、第一光源部３０ａを点灯した際拡散ドット４２ａで拡散される光が少なく第一表示情報が見えにくくなる可能性があるため好ましくない。なお、図２中では拡散ドット４２ａは省略し、図４中では、説明のため、実際よりも、それぞれの大きさが大きく記載している。
【００２１】
第二光源部３０ｂは、図３に示すように、基板３２ｂと、この基板３２ｂに所定の間隔で実装された複数の白色の表面実装型の平面発光型ＬＥＤ３４ｂ（以下、「ＬＥＤ３４ｂ」と言う。）と、からなり、後述する固定部材５０の第二溝部５２ｂの底面５８ｂに基板３２が図示しない両面テープ等で貼着されている。このため、ＬＥＤ３４ｂが使用により発熱した場合であっても、基板３２ｂを介して固定部材５０に熱が伝わり、高温による誤作動や破損の可能性を未然に低減することができる。また、ＬＥＤ３４ａとＬＥＤ３４ｂとを異なる色にすることで、第一表示情報である「入口」と第二表示情報である「出口」という異なる情報を色の違いによっても示すことができる。なお、第一光源部３０ａと同様に、基板３２ｂ及びＬＥＤ３４ｂの表面にシリコンやエポキシ樹脂等をポッティングしてもよいし、基板３２ｂ全体を完全に密封コーティングしても良いし、第二光源部３０ｂ全体をシリコンチューブ等に封入しても良い。こうすることにより、仮に表示装置２０の内部で結露が生じたり、雨滴等が表示装置２０の内部に侵入した場合であっても、第二光源部３０ｂが故障したり誤作動したりする可能性を未然に低減することができる。
【００２２】
第二導光板３６ｂは、図２に示すように、厚さが約５ｍｍであり、略四角形形状の板状に形成された透過性を有するメタクリル樹脂製の板である。この第二導光板３６ｂの底面側には、「出口」という文字からなる第二拡散部４０ｂが設けられている。この第二拡散部４０ｂは、複数の拡散ドット４２ｂによって形成されており、第二光源部３０ｂから第二導光板３６ｂの側面に照射された光を表面側に拡散する。こうすることにより、「出口」という第二表示情報を表示することができる。なお、拡散ドット４２ｂについては、拡散ドット４２ａと同様であるため、ここでは説明を省略する。
【００２３】
固定部材５０は、図２及び図３に示すように、底面５８ａ及び底面５８ｂ（以下、「底面５８」とも言う。）の幅が導光板３６の幅よりも若干長くなるように形成された第一溝部５２ａ及び第二溝部５２ｂ（以下、「溝部５２」とも言う。）がそれぞれ設けられている。このように溝部５２の幅が導光板３６の幅よりも広く形成されているため、光源部３０や導光板３６を溝部５２に挿入する際、挿入しやすい。また、第一溝部５２ａと第二溝部５２ｂとの間に位置する内側壁５６は、第一溝部５２ａ及び第二溝部５２ｂの外側に位置する外側壁５４と比較して、高く形成されている。こうすることにより、ＬＥＤ３４ａ又はＬＥＤ３４ｂを点灯した際、ＬＥＤ３４ａの光が第二導光板３６ｂに照射されたり、ＬＥＤ３４ｂの光が第一導光板３６ａに照射されたりする可能性を未然に低減することができる。言い換えると、第一表示情報を表示する際に第二表示情報が視認されたり、第二表示情報を表示する際に第二表示情報が視認されたりする可能性を未然に低減することができる。また、内側壁５６と外側壁５４とが同じ高さの場合と比較し、外側から光源部３０や導光板３６を固定部材５０に固定しやすい。更に、内側壁５６の表面には、外側壁５４方向に突出した直線状の凸部５６ａが設けられており、この凸部５６ａよりも内側（図３及び図５中上方側）であって、内側壁５６と導光板３６との間の位置には、緩衝部材６８が設けられている（図５参照）。このため、緩衝部材６８が底面５８の方向に移動することを規制し、凸部５６ａと底面５８との間に空間を設けることができる。こうすることにより、ＬＥＤ３４が使用により発熱した場合であっても、凸部５６ａと底面５８との間の空間を空気が対流することにより、ＬＥＤ３４が破損する可能性を未然に低減することができる。更にまた、この凸部５６ａの頂面と外側壁５４までの距離（図３中、α）は、導光板３６の厚さと略同一となるように形成されている。こうすることにより、導光板３６を溝部５２に挿入した際、凸部５６ａで確実に固定することができる。また、内側壁５６の表面には緩衝部材６８が設けられているため、導光板３６を溝部５２に挿入した際、導光板３６が破損する可能性を未然に低減することができる。加えて、内側壁５６には、後述する本体部６０と固定するための貫通孔５６ｂが設けられている。このように、内側壁５６で本体部６０と固定部材５０とを固定することにより、固定部材５０の外側壁５４ｂと後述する背面部材６５の表面側とを密着させることができるため、防水性に優れる。
【００２４】
本体部６０は、図２に示すように、前面カバー部６２と、光透過部材６３と、裏面部材６４と、背面部材６５と、背面カバー部６６と、を備えている。前面カバー部６２は、中央に強化ガラス製の窓部６２ａを有するカバー状部材であり、窓部６２ａを介して、第一導光板３６ａに表示される「入口」という第一表示情報や第二導光板３６ｂに表示される「出口」という第二表示情報を外部から視認することを可能とする。
【００２５】
光透過部材６３は、厚さが約２ｍｍのアクリル樹脂等の樹脂製の板状部材であり、光の透過率が約２０％のスモークアクリルある。この光透過部材６３は、第一導光板３６ａの前面側に設けられ、前面カバー部６２と背面カバー部６６とが固定される際、前面カバー部６２の裏面側と固定部材５０の表面側とによって光透過部材６３が挟持される。このように、第一導光板３６ａの前面側に光透過部材６３を設けることにより、外部から光が差し込んだ場合であっても、光透過部材６３によって光の透過が一部妨げられ、第一導光板３６ａ及び第二導光板３６ｂの周囲の明るさが押さえられるため、第一光源部３０ａ又は第二光源部３０ｂを点灯した際、周囲とのコントラストが明確になり、第一表示情報又は第二表示情報をより明確に表示することができる。また、例えば、第一光源部３０ａを点灯して第一表示情報を表示する際には、外部の光が侵入し、第二拡散部４０ｂによって拡散され第二表示情報が表示される可能性を低減することができる。このとき、第一光源部３０ａから照射された光であって、第一拡散部４０ａで拡散された光以外の光が光透過部材６３で低減されることにより、第一拡散部４０ａと第一導光板３６ａのその他の部分とのコントラストを明確にすることができるため、第一表示情報をより明確に表示することができる。同様に、第二光源部３０ｂを点灯した際には、第二拡散部４０ｂと第二導光板３６ｂのその他の部分とのコントラストを明確にし、第二表示情報を明確にすることができる。
【００２６】
裏面部材６４は、表面側が暗色であるスポンジである。この裏面部材６４は、第二導光板３６ｂの裏面側位置し、後述する背面部材６５と同様に、図示しないビスで固定部材５０に固定される。このように、第二導光板３６ｂの裏面側に表面側が暗色の裏面部材６４を設けることにより、第一導光板３６ａ又は第二導光板３６ｂに第一光源部３０ａ又は第二光源部３０ｂから光を照射した際、光を拡散する第一拡散部４０ａ又は第二拡散部４０ｂとその他の部分とのコントラストを明確にすることができる。また、裏面部材６４はスポンジであるため、裏面部材６４に光が当たった場合には、スポンジ表面の凹凸により光が乱反射することになり、表面による光の反射率が低い。このため、拡散部４０とその他の部分とのコントラストを明確にし、表示情報をより明確に表示することができる。加えて、スポンジは衝撃吸収力が高いため、外部から振動が加えられた場合であっても、外部からの振動を吸収したり、低減したりすることができる。このため、表示装置２０が強く振動することを未然に防止し、光源部３０等が破損する可能性を未然に防止することができる。
【００２７】
背面部材６５は、表面側に折り曲げられた延接辺６５ａを有する金属製の部材であり、四隅に設けられた貫通孔６５ｂと固定部材５０の内側壁５６に設けられた貫通孔５６ｂとを図示しないビスで固定することにより、固定部材５０の外側壁５４ｂと当接した状態で固定部材５０に固定される。
【００２８】
背面カバー部６６は、下方側面に排出孔６６ａと、四方側面のそれぞれが外方向に延びる延接辺６６ｂと、上方側面に通気孔６６ｄと、を有するカバー部材であり、延接辺６６ｂに設けられた貫通孔６６ｃと前面カバー部６２とを図示しないビスで固定することにより、光源部３０や導光板３６、固定部５０等を収納する。このとき、下方側面には排出孔６６ａが設けられているため、雨水等が侵入した場合や結露等が生じた場合であっても、重力により排出孔６６ａを介して外部に自然に排出することができる。また、上方側面には通気孔６６ｄが設けられているため、排出孔６６ａから通気孔６６ｄに向かって内部に緩やかな空気の流れが生じ、内部の湿気が自然と外部に排出されることになる。なお、この通気孔６６ｄは、透湿防水膜等で覆われていても良い。
【００２９】
次に、表示装置２０の使用方法の一例について説明する。表示装置２０を使用する際には、図示しない電源より第一光源部３０ａ及び第二光源部３０ｂに電力を供給し、第一光源部３０ａ又は第二光源部３０ｂのいずれか一方を点灯し他方を消灯して使用する。例えば、第一光源部３０ａを点灯した場合には、第一ＬＥＤ３４ａから照射された光が第一導光板３６ａの側面側から第一導光板３６ａに入射し、第一拡散部４０ａに設けられた拡散ドット４２によって表面側に拡散され、「入口」という第一表示情報を表示する。一方、第二光源部３０ｂを点灯した場合には、同様に、「出口」という第二表示情報を表示する。このように、第一光源部３０ａ又は第二光源部３０ｂのいずれかを点灯することにより、第一表示情報又は第二表示情報のいずれかを表示することができる。なお、第一光源部３０ａ又は第二光源部３０ｂに電力を供給することで、第一ＬＥＤ３４ａ又は第一ＬＥＤ３４ｂの点灯及び消灯を行うものとしたが、スイッチ等を用いて電力の供給を切り替えても良いし、ＩＣチップ等の電子回路やマイクロコンピュータ等を用いて点灯又は消灯してもよい。
【００３０】
以上詳述した実施の形態の表示装置２０によれば、第一導光板３６ａの表面側に光透過部材６３が設けられているため、表示装置２０の内部に入り込む外部からの光の光量を低減することができる。こうすることにより、光源部３０を点灯した際、外部の光によって拡散部４０以外の部分が明るくなる可能性を低減することができるため、拡散部４０とその他の部分とのコントラストを明確にし、第一表示情報又は第二表示情報を未然に低減することができる。また、例えば、第一光源部３０ａを点灯し第一表示情報を表示している際に、外部からの光によって第二表示情報が表示される可能性を未然に低減することができる。加えて、裏面部材６４の表面は粗面であるため、裏面部材６４で反射される光の光量を低減し、裏面部材６４で反射される光により拡散部４０とその他の部分とのコントラストが不明確になったり、第一表示情報又は第二表示情報を表示している際に、裏面部材６４の表面で反射した光によって第二表示情報又は第一表示情報が表示されたりする可能性を未然に低減することができる。更に加えて、裏面部材６４の表面は暗色であるため、光源部３０を点灯した際、拡散部４０とその他の部分とのコントラストをより明確にすることができる。
【００３１】
また、拡散部４０は複数の拡散ドット４２が所定の形状に配置されているため、拡散ドット４２で拡散される光により第一表示情報又は第二表示情報を表示することができる。
【００３２】
更に、光源部３０が導光板３６の側面側に位置する状態で溝部５２にそれぞれ固定されるため、光源部３０を導光板３６に対して所定の位置で確実に固定することができる。このとき、第一溝部５２ａと第二溝部５２ｂとの間に設けられた内側壁５６が外側壁５４よりも高く形成されているため、ＬＥＤ３４ａ又はＬＥＤ３４ｂを点灯した際、ＬＥＤ３４ａの光が第二導光板３６ｂに照射されたり、ＬＥＤ３４ｂの光が第一導光板３６ａに照射されたりする可能性を未然に低減することができる。また、内側壁５６と外側壁５４との高さが同じ高さである場合と比較して、溝部５２に導光板３６を挿入しやすい。また、内側壁５６によって導光板３６がそれぞれ内側に湾曲する可能性を未然に低減することができる。言い換えると、第一導光板３６ａと第二導光板３６ｂとの間隔を維持することができるため、第二表示情報が第一導光板３６ａによって視認し難くなる可能性を未然に低減することができる。
【００３３】
更にまた、内側壁５６の両側には緩衝部材６８が設けられているため、導光板３６を溝部５２に挿入する際に導光板３６が破損する可能性を未然に低減することができる。また、導光板３６が熱等によって膨張した場合であっても、導光板３６が破損する可能性を未然に低減することができる。
【００３４】
そして、背面カバー部６６の下面側には排出孔６６ａが設けられているため、雨水等の侵入や結露等による水分や湿気を外部に排出することができる。
【００３５】
そして更に、凸部５６ａと外側壁５４との間隔が導光板３６の厚さと略同一であるため、導光板３６が溝部５２に挿入された際、凸部５６ａと外側壁５４ｂとで導光板３６が挟持される。このとき、光源部３０は底面５８に貼着されているため、導光板３６の側面に確実に光を照射することができる。
【００３６】
そしてまた、導光板３６の厚さが凸部５６ａの頂面から外側壁５４の内側面までの距離と略同一であり、光源部３０が溝部５２の底面５８に貼着されているため、光源部３０を導光板３６の側面側に確実に固定することができきる。
【００３７】
なお、本発明は上述した実施の形態に何ら限定されることはなく、本発明の技術的範囲に属する限り種々の態様で実施し得ることはいうまでもない。
【００３８】
例えば、上述した実施の形態では、拡散ドット４２はレーザー加工によって形成されたドットであるものとしたが、拡散ドット４２として形成される拡散凹部の形状及び大きさは、特に限定するものではない。適宜様々な形状及び大きさの拡散凹部からなる拡散ドット４２を採用することができる。例えば、図６Ａは、四角錐形状の拡散凹部からなる拡散ドット４２を示している。図６Ｂは、円錐側の拡散凹部からなる拡散ドット４２を示している。図６Ｃは、四角錐型の拡散凹部からなる拡散ドット４２を示している。図６Ｄは、四角錐台形の拡散凹部からなる拡散ドット４２を示している。図６Ｅは、半球型の拡散凹部からなる拡散ドット４２を示している。また作製方法としては、超音波加工、加熱加工、レーザー加工、切削加工等種々の加工方法を採用してもよいし、予め凹凸が刻まれた金型を用いて射出成形等の方法を用いてもよい。また、例えば、図６Ｆに示すように、凸状の膨らんだ拡散凸部であってもよい。拡散凸部は、スクリーン印刷やシルク印刷等によって、盛り上がるように（凸状）主面に形成する。また、それぞれの拡散ドット４２の大きさは、同じであっても異なっていても良い。例えば、後方側から上方側に向かって、四角錐型の拡散ドット４２の各辺を徐々に長くしたり、四角錐型の拡散ドット４２の深さを徐々に深くしたりしても良い。こうすれば、光源部３０から近く光が強い位置では拡散される光量が小さくなり、光源部３０から遠ざかるにつれて拡散される光量が大きくなるため、主面から照射される光の光量を均一に近づけることができる。
【００３９】
例えば、上述した実施の形態では、複数の拡散ドット４２ａを「入口」の形状に配置することで第一拡散部４０ａを形成するものとしたが、拡散ドット４２ａに代えて、底面を粗面に加工した凹部としてもよいし、表面に点線上のレーザー加工痕を形成する等レーザー加工により加工するものであってもよいし、超音波加工、切削加工等によって加工してもよい。いずれの場合であっても、上述した実施の形態と同様の効果が得られる。
【００４０】
上述した実施の形態では、それぞれの固定部材５０に第一光源部３０ａ及び第二光源部３０ｂを設けるものとしたが、いずれか一方の固定部材５０にのみ第一光源部３０ａ及び第二光源部３０ｂを設けるものであってもよい。また、固定部材５０は、導光板３６の上下の側面にそれぞれ設けられているものとしたが、導光板３６の左右の側面にそれぞれ設けられていてもよい。いずれの場合であっても、上述した実施の形態と同様の効果が得られる。
【００４１】
上述した実施の形態では、ＬＥＤ３４は、平面発光型の発光ダイオードとしたが、平面発光型に限定されるものでなく、側面発光型、砲弾型等いずれのタイプであってもよい。また、第一ＬＥＤ３４ａと第二ＬＥＤ３４ｂとの色は白色に限定されるものではなく、いずれの色であっても良い。また、同一の色であっても異なる色であってもよい。いずれの場合であっても、上述した実施の形態と同様の効果が得ることができる。
【００４２】
上述した実施の形態では、導光板３６は透過性を有するメタクリル樹脂製の板であるものとしたが、透過性を有する素材であればメタクリル樹脂製に限定されるものでなく、メチルメタクリレートやエチルメタクリレート等のメタクリル樹脂以外にも、例えば、メチルアクリレート、エチルアクリレート等のアクリル製樹脂、ＡＢＳ樹脂、ポリカーボネート、ポリエチレン等の種々の素材を用いることができる。いずれの場合であっても、上述した実施の形態と同様の効果が得られる。また、導光板３６は、板状に限定されるものではなく、一部が湾曲した形状であっても良い。例えば、拡散部４０が突出するような形で湾曲させた場合には、側面側から視認した場合であっても、拡散部４０が視認しやすい。言い換えると、壁に取り付けて使用した際、正面側からだけでなく、斜め方向からであっても視認しやすい。
【００４３】
上述した実施の形態では、窓部６２ａは強化ガラス製であり、光透過部材６３を設けるものとしたが、窓部６２ａを無反射ガラスや反射防止ガラス、低反射ガラス、偏光ガラス、ノングレアガラス製等にしたり、光学フィルタや偏光フィルタを用いたり、これらを複数組み合わせて用いたりしても良い。具体的には、例えば、無反射ガラスの表面に光学フィルタを貼着することで組み合わせても良いし、偏光ガラスとノングレアガラスを重ねて使用することで組み合わせても良いし、上方に偏光ガラスを配置して下方に反射防止ガラスを配置することで組み合わせても良いし、３種類以上を任意に組み合わせても良い。また、窓部６２ａとして、例えば、スモークアクリル等のコントラストを調整可能な部材を用いることで、窓部６２ａに光透過部材６３と同様の機能を持たせてもよい。こうすれば、光透過部材６３を設けなくともよい。
【００４４】
上述した実施の形態では、光透過部材６３は、光の透過率が約２０％のスモークアクリルであるものとしたが光の透過率は約２０％に限定されるものではなく、例えば、１０％以上４０％未満であってもよいし、１５％以上３０％未満であってもよい。また、スモークアクリルに限定されるものではなく、例えば、フィルムやシートを貼着することで光の透過率を低減してもよいし、表面にスモーク処理や蒸着処理を行うことにより表面処理により光の透過率を低減しても良いし、光の透過率を低減する素材を含有することで光の透過率を低減してもよい。いずれの場合であっても、上述した実施の形態と同様の効果が得られる。
【００４５】
上述した実施の形態では、裏面部材６４はスポンジであるものとしたが、表面の光の反射率が低いものであればこれに限定されるものではなく、例えば、シボ加工やサンドブラスト処理を行ったり梨地模様等の凹凸を有する模様を付したりしても良いし、光の反射を抑制する反射防止コーティングを行ったり、反射防止効果のある塗剤を塗布してもよいし、暗色の発泡体を用いたりしてもよい。いずれの場合も、上述した実施の形態と同様の効果が得られる。
【００４６】
上述した実施の形態では、裏面部材６４は、スポンジであるものとしたが、板状部材の裏面側にクッションやゴム、発泡材等の緩衝部材を有していても良いし、裏面部材６４自身がクッションやゴム、発泡材等の緩衝部材であってもよい。こうすることにより、外部から振動が加えられた場合であっても、外部からの振動を吸収したり、低減したりすることができる。このため、表示装置２０が強く振動することを未然に防止し、光源部３０等が破損する可能性を未然に防止することができる。このような効果は、例えば、列車に取り付ける表示装置として表示装置２０を使用した場合に、効果が大きい。このような場合には、列車の運行に伴う振動によって破損する可能性を未然に低減することができる。
【００４７】
上述した実施の形態では、固定部材５０と本体部６０や背面カバー部６６とは図示しないビスで固定するものとしたが、ビスで固定する際、防水ワッシャー等の防水素材を加えても良いし、前面カバー部６２と背面カバー部６６とを固定する際等に、シリコン等を使用することで隙間無く固定してもよい。こうすることにより、より防水性能を高め、本体部６０の内部に雨水等が侵入する可能性を未然に低減することができる。このような効果は、例えば、列車の乗降口付近に設けられる行き先表示装置として表示装置２０を使用した場合に、効果が大きい。雨天時には、表面側に直接雨水が当たるだけでなく、乗降口の扉を開閉すると、開閉時に扉の表面の雨水が扉の収納部に入り込み、表示装置２０の裏面側にも雨水等が当たる可能性がある。このような場合であっても、表示装置２０の裏面側から雨水等が侵入する可能性を未然に低減することができる。
【００４８】
上述した実施の形態では、背面カバー部６６の下面に排出孔６６ａを設けるものとしたが、排出孔６６ａは無くともよい。この場合であっても、本体部６０の内部が結露しない環境であれば、上述した実施の形態と同様の効果が得られる。
【産業上の利用可能性】
【００４９】
上述した実施の形態で示すように、情報の表示分野、特に、２種類の異なる表示が可能な表示装置として利用することができる。
【符号の説明】
【００５０】
２０…表示装置、３０…光源部、３０ａ…第一光源部、３０ｂ…第二光源部、
３２、３２ａ、３２ｂ…基板、３４…ＬＥＤ、３４ａ…第一ＬＥＤ、
３４ｂ…第二ＬＥＤ、３６…導光板、３６ａ…第一導光板、３６ｂ…第二導光板、
４０…拡散部、４０ｂ…第一拡散部、４０ｂ…第二拡散部、
４２、４２ａ、４２ｂ…拡散ドット、５０…固定部材、
５２…溝部、５２ａ…第一溝部、５２ｂ…第二溝部、
５４、５４ａ、５４ｂ…外側壁、５６…内側壁、５６ａ…凸部、５６ｂ…貫通孔、
５８、５８ａ、５８ｂ…底面、６０…本体部、６２…前面カバー部、６２ａ…窓部、
６３…光透過部材、６４…裏面部材、６５…背面部材、６５ａ…延接辺、
６５ｂ…貫通孔、６６…背面カバー部、６６ａ…排出孔、６６ｂ…延接片、
６６ｃ…貫通孔、６６ｄ…通気孔、６８…緩衝部材。
【図１】
2016050997.tif 000003
【図２】
2016050997.tif 000004
【図３】
2016050997.tif 000005
【図４】
2016050997.tif 000006
【図５】
2016050997.tif 000007
【図６】
2016050997.tif 000008